(57)【要約】      （修正有）【課題】配信者にとって見てもらいたい場面を効率的に視聴者に配信することが可能な学習支援技術を提供する。【解決手段】録画配信端末３と、受信端末４と、録画配信端末３及び受信端末４にインターネット１１を介して接続される管理サーバ５とを有し、管理サーバ５は、録画配信端末３から送信されたコンテンツデータを格納し、このコンテンツデータを時間軸上の指定された位置を境に複数の論理的なチャプターに分割してそれぞれのチャプターの定義情報を生成し、チャプターより大きい単位である章に対して分割されたチャプターの少なくとも１つを関連付け、受信端末４からのコンテンツ要求に対して指定された章に割り当てられているチャプターの定義情報から格納されたコンテンツデータの対応するチャプターのデータを抽出して要求元の端末へ送信する。【選択図】図１
0003141460.tif 000002
【実用新案登録請求の範囲】
【請求項１】
映像／音声入力機器が接続可能な録画配信端末と、受信したコンテンツデータを再生可能な受信端末と、前記録画配信端末及び前記受信端末にインターネット等のネットワークを介して接続され、前記録画配信端末から得られたコンテンツデータを前記受信端末へ送信可能とする管理サーバと、前記管理サーバに対して接続可能な管理者端末とを有して構成される学習支援システムであって、
前記管理サーバは、
前記録画配信端末から得られたコンテンツデータを格納するコンテンツデータ格納手段を備え、
前記管理者端末は、
前記コンテンツデータ格納手段により格納されたコンテンツデータを時間軸上の指定された位置を境に複数の論理的なチャプターに分割し、この分割されたそれぞれのチャプターを特定する定義情報を生成するチャプター編集手段と、前記チャプターより大きい単位である章に対して前記分割されたチャプターの少なくとも１つを割り当てる割り当て情報を生成する割り当て情報生成手段とを備え、
前記管理サーバは、さらに、
前記チャプター編集手段により生成された定義情報を格納する定義情報格納手段と、前記割り当て情報生成手段により生成された割り当て情報に基づき、前記章とこれに割り当てられたチャプターとを関連づける関連付け手段と、前記受信端末からのコンテンツ要求に対して前記章が指定された場合に、この章に前記関連付け手段によって関連づけられている前記チャプターの定義情報に基づき、前記コンテンツデータ格納手段に格納されたコンテンツデータから対応するチャプターのデータを抽出して前記受信端末へ送信する再生手段とを有する
ことを特徴とする学習支援システム。
【請求項２】
前記チャプター編集手段は、前記コンテンツデータを時間軸上の意図した位置を指定してその位置で論理的に区切ることでチャプターを挿入するチャプター挿入手段と、挿入されたチャプターを削除するチャプター削除手段と、前記チャプター挿入手段及び前記チャプター削除手段によって決定されたチャプターを確定するチャプター確定手段とを備え、
前記定義情報格納手段により格納された定義情報によって特定されるチャプターは、前記チャプター確定手段により確定されたものであることを特徴とする請求項１記載の学習支援システム。
【請求項３】
前記コンテンツデータは、前記映像／音声入力機器を利用して得られた映像データ及び音声データと、前記録画配信端末からアップロードされた資料データとを含むことを特徴とする請求項１記載の学習支援システム。
【請求項４】
前記割り当て情報生成手段は、論理的に分割された複数のチャプターを選択可能に表示させるチャプターリストを表示する表示手段と、前記表示手段により表示されたチャプターリストの中から前記章に割り当てるチャプターを選択して確定する割り当て確定手段とを有することを特徴とする請求項１記載の学習支援システム。
【請求項５】
インターネット等のネットワークを介して入力された映像/音声データを含むコンテンツデータを格納するコンテンツデータ格納手段と、
前記ネットワークを介して接続された端末において生成され、前記コンテンツデータ格納手段により格納されたコンテンツデータを時間軸上の指定された位置を境に論理的に分割することで形成される複数のチャプターの定義情報を前記ネットワークを介して入力し格納する定義情報格納手段と、
前記チャプターより大きい単位である章に対して前記分割されたチャプターの少なくとも１つを割り当てることにより前記章とチャプターとを関連付ける関連付け手段と、
受信したコンテンツデータを再生可能とする端末からのコンテンツ要求に対して前記章が指定された場合に、指定された章に関連づけられている前記チャプターの定義情報に基づき、前記コンテンツデータ格納手段に格納されたコンテンツデータから対応するチャプターのデータを抽出して要求元の前記端末へ送信する再生手段とを有することを特徴とする学習支援用管理サーバ。
【考案の詳細な説明】
【技術分野】
【０００１】
本考案は、インターネット等のネットワークを利用して学習用のコンテンツデータを配信する場合に利用可能な学習支援技術に関する。
【背景技術】
【０００２】
近年、インターネット等の情報通信ネットワークの普及に伴い、この情報通信ネットワークを利用して映像および音声を含むマルチメディアによる教材コンテンツの送受信を行う学習システム、所謂、イーラーニングシステムの実用化が進んでいる（特許文献１，２参照）。
【０００３】
中でも講義内容を板書や板書者と共に録画し、この録画された内容を配信することで、実際に講義を受けている感覚で試聴できるようにすることは、試聴者にとって最も効果的であり、従来においては、講義データ（動画や音声データ）を各講義毎に蓄積しておき、配信可能期間内においてのみ講義パッケージの配信を受けられるようにしたものや（特許文献３）、動画をリアルタイムに配信できるようにした技術等が知られている（特許文献４）。
【特許文献１】特開２００７−１１０９６号公報
【特許文献２】特開２００２−２０２９４１号公報
【特許文献３】特開２００２−２９７０１１号公報
【特許文献４】特開２００３−２０９８２８号公報
【考案の開示】
【考案が解決しようとする課題】
【０００４】
しかしながら、従来のインターネットを利用した録画・配信システムでは、録画した内容を要約する手段がなく、過去に録画されたものをそのまま配信したり、リアルタイムで講義内容を配信するものであるため、配信者にとって見てもらいたい場面を効率的に視聴者に提供することができない不都合があった。特に、見てもらいたい場面が複数の講義内容にまたがる場合には、それぞれの場面を含む講義パッケージを別々に視聴しなければならず、早送りやスキップ機能が設けられていても該当箇所にたどり着くまでに時間を要し、限られた時間で効果的に学習することは困難である。
【０００５】
また、複数の録画したコンテンツデータから、見てもらいたい場面を予め抜粋して寄せ集めることで新たな配信用のコンテンツデータを作成し、これを配信することも考えられるが、このような手法によれば、配信用のコンテンツデータを作成するまでに手間がかかり、また、配信用のコンテンツデータを形成する都度、この配信用のコンテンツデータを格納する領域を録画されたオリジナルのコンテンツデータを格納する領域とは別に確保する必要があるため、個人単位やグループ単位で配信内容が異なる場合には、膨大な格納領域を必要とする不都合がある。
【０００６】
本考案は、係る事情に鑑みてなされたものであり、配信者にとって見てもらいたい場面を効率的に視聴者に配信することが可能な学習支援技術を提供することを主たる課題としている。また、個人単位やグループ単位で配信内容が異なる場合でも、配信用のコンテンツデータを作成して格納することを不要とし、格納領域の負担が殆どない学習支援技術を提供することをも課題としている。
【課題を解決するための手段】
【０００７】
上記課題を達成するために、本考案に係る学習支援技術は、録画した内容をチャプターという概念で論理的に区切り、選択されたチャプターを章と関連付けた上で、再生時に章を指定してこれに関連付けられているチャプターを再生可能とすれば、見てもらいたいチャプターだけを配信することが可能となり、効率的な学習が可能となること、また、チャプターをコンテンツデータの物理的な分割により形成するのではなく、コンテンツデータを論理的に区切る概念として用い、それぞれのチャプターをこれらを特定する定義情報を用いて管理すれば、配信用のコンテンツデータを物理的に生成して格納することが不要になることを見出し、本考案を完成するに至った。
【０００８】
即ち、本考案に係る学習支援システムは、映像／音声入力機器が接続可能な録画配信端末と、受信したコンテンツデータを再生可能な受信端末と、前記録画配信端末及び前記受信端末にインターネット等のネットワークを介して接続され、前記録画配信端末から得られたコンテンツデータを前記受信端末へ送信可能とする管理サーバと、前記管理サーバに対して接続可能な管理者端末とを有して構成されるシステムであって、前記管理サーバは、前記録画配信端末から得られたコンテンツデータを格納するコンテンツデータ格納手段を備え、前記管理者端末は、前記コンテンツデータ格納手段により格納されたコンテンツデータを時間軸上の指定された位置を境に複数の論理的なチャプターに分割し、この分割されたそれぞれのチャプターを特定する定義情報を生成するチャプター編集手段と、前記チャプターより大きい単位である章に対して前記分割されたチャプターの少なくとも１つを割り当てる割り当て情報を生成する割り当て情報生成手段とを備え、前記管理サーバは、さらに、前記チャプター編集手段により生成された定義情報を格納する定義情報格納手段と、前記割り当て情報生成手段により生成された割り当て情報に基づき、前記章とこれに割り当てられたチャプターとを関連づける関連付け手段と、前記受信端末からのコンテンツ要求に対して前記章が指定された場合に、この章に前記関連付け手段によって関連づけられている前記チャプターの定義情報に基づき、前記コンテンツデータ格納手段に格納されたコンテンツデータから対応するチャプターのデータを抽出して前記受信端末へ送信する再生手段とを有することを特徴としている。ここで、前記チャプター編集手段による定義情報の生成、及び、割り当て情報生成手段による割り当て情報の生成は、前記受信端末を操作する操作者毎に行うようにするとよい。
【０００９】
したがって、コンテンツデータ格納手段により格納されたコンテンツデータが、チャプター編集手段により、時間軸上の指定された位置を境に複数の論理的なチャプターに分割されて各チャプターを特定する定義情報が生成され、また、割り当て情報生成手段により、チャプターより大きい単位である章に対して分割されたチャプターの少なくとも１つを割り当てる割り当て情報が生成され、関連付け手段により、前記割り当て情報に基づき章とこれに割り当てられたチャプターとが関連付けられ、再生手段により、受信端末からのコンテンツ要求に対して前記章が指定された場合に、指定された章に関連づけられているチャプターの定義情報に基づき、コンテンツデータ格納手段に格納されたコンテンツデータから対応するチャプターのデータが抽出されて受信端末へ送信され、受信端末で再生されるので、配信者は、見てもらいたい内容のチャプターを選択して章に割り当てておけば、録画配信端末を介して得られたオリジナルのコンテンツデータが膨大なものであっても、見てもらいたい場面だけを抽出して試聴者に提供することが可能となる。
【００１０】
また、格納されたオリジナルのコンテンツデータ(映像音声データ等)に対して物理的な分割や並べ替え、変換といった処理を施すことなく、章とチャプターとの関連付けやチャプターの定義情報を形成することで対応しているので、オリジナルのコンテンツデータに手を加えることのない非破壊編集を実現することが可能となり、オリジナルのコンテンツデータを格納する他に、配信用のコンテンツデータを作成して格納する必要がなくなる。
【００１１】
ここで、チャプター編集手段は、前記コンテンツデータを時間軸上の意図した位置を指定してその位置で論理的に区切ることでチャプターを挿入するチャプター挿入手段と、挿入されたチャプターを削除するチャプター削除手段と、前記チャプター挿入手段及び前記チャプター削除手段によって決定されたチャプターを確定するチャプター確定手段を備え、前記定義情報格納手段により格納された定義情報によって特定されるチャプターは、前記チャプター確定手段により確定されたものとしてもよい。
このような構成とすることで、コンテンツデータを複数の論理的なチャプターに分割する際に、チャプターを適切に分割した上で確定できるので、誤った位置で分割されたチャプターを残すことがなくなる。
【００１２】
前記コンテンツデータは、例えば、前記映像／音声入力機器を利用して得られた映像データ及び音声データや録画配信端末からアップロードされた資料データを含むようにしてもよい。
【００１３】
また、前記割り当て情報生成手段は、論理的に分割された複数のチャプターを選択可能に表示させるチャプターリストを表示する表示手段と、前記表示手段により表示されたチャプターリストの中から前記章に割り当てるチャプターを選択して登録する登録手段とを有するようにしてもよい。
このような構成によれば、章に対するチャプターの割り当てが容易に行え、登録させることでチャプターの選択を慎重に行わせることが可能となる。
【００１４】
また、上述したシステムに利用可能な学習支援用管理サーバとしては、インターネット等のネットワークを介して入力された映像/音声データを含むコンテンツデータを格納するコンテンツデータ格納手段と、前記ネットワークを介して接続された端末において生成され、前記コンテンツデータ格納手段により格納されたコンテンツデータを時間軸上の指定された位置を境に論理的に分割することで形成される複数のチャプターの定義情報を前記ネットワークを介して入力し格納する定義情報格納手段と、前記チャプターより大きい単位である章に対して前記分割されたチャプターの少なくとも１つを割り当てることにより前記章とチャプターとを関連付ける関連付け手段と、受信したコンテンツデータを再生可能とする端末からのコンテンツ要求に対して前記章が指定された場合に、指定された章に関連づけられている前記チャプターの定義情報に基づき、前記コンテンツデータ格納手段に格納されたコンテンツデータから対応するチャプターのデータを抽出して要求元の前記端末へ送信する再生手段とを有することを特徴としている。ここで、前記関連付け手段による関連付けは、前記端末を操作する操作者毎に行うことが可能である。
【００１５】
また、上述した課題を達成するために、本考案に係る学習支方法は、映像／音声入力機器が接続可能な録画配信端末と、受信したコンテンツデータを再生可能な受信端末と、前記録画配信端末及び前記受信端末にインターネット等のネットワークを介して接続され、前記録画配信端末から得られたコンテンツデータを前記受信端末へ送信可能とする管理サーバと、前記管理サーバに対して接続可能な管理者端末とを有して構成される学習支援システムを利用する方法であって、前記管理サーバは、前記録画配信端末から得られたコンテンツデータを格納するコンテンツデータ格納ステップを有し、前記管理者端末は、前記格納されたコンテンツデータを時間軸上の指定された位置を境に複数の論理的なチャプターに分割し、この分割されたそれぞれのチャプターを特定する定義情報を生成可能とするチャプター編集ステップと、前記チャプターより大きい単位である章に対して前記分割されたチャプターの少なくとも１つを割り当てる割り当て情報を生成可能とする割り当て情報生成ステップとを有し、前記管理サーバは、さらに、前記チャプター編集ステップにより生成された定義情報を格納する定義情報格納ステップと、前記割り当て情報生成ステップにより生成された割り当て情報に基づき、前記章とこれに割り当てられたチャプターとを関連づける関連付けステップと、前記受信端末からのコンテンツ要求に対して前記章が指定された場合に、指定された章に関連付けられている前記チャプターの定義情報に基づき、前記格納されたコンテンツデータから対応するチャプターのデータを抽出して前記受信端末に送信する再生ステップとを有するようにしてもよい。ここで、チャプター編集ステップや情報生成ステップは、受信端末を操作する操作者毎に行うようにするとよい。
【００１６】
また、ネットワークを介して得られたコンテンツデータを端末へ配信する管理サーバを用いた学習支援方法としては、前記管理サーバは、インターネット等のネットワークを介して入力された映像/音声データを含むコンテンツデータを格納するステップと、格納されたコンテンツデータを時間軸上の指定された位置を境に論理的に分割することで形成される複数のチャプターの定義情報を例えば前記端末を操作する操作者毎に前記ネットワークを介して入力し格納を可能とするステップと、前記チャプターより大きい単位である章に対して前記分割されたチャプターの少なくとも１つを割り当てることにより例えば前記端末を操作する操作者毎に前記章とチャプターとの関連付けを可能とするステップと、受信したコンテンツデータを再生可能とする端末からのコンテンツ要求に対して前記章が指定された場合に、指定された章に関連付けられている前記チャプターの定義情報に基づき、前記格納されたコンテンツデータから対応するチャプターのデータを抽出して要求元の前記端末へ送信するステップとを含むようにするとよい。
【００１７】
尚、このような方法は管理サーバ等にインストールされるコンピュータ読み取り可能な制御プログラムによって実現されるもので、そのような制御プログラムにより、例えば、前記管理サーバに、インターネット等のネットワークを介して入力された映像/音声データを含むコンテンツデータを格納する機能と、この格納されたコンテンツデータを時間軸上の指定された位置を境に論理的に分割することで形成される複数のチャプターの定義情報を前記ネットワークを介して入力し格納する機能と、前記チャプターより大きい単位である章に対して前記分割されたチャプターの少なくとも１つを割り当てることにより前記章とチャプターとを関連付ける機能と、受信したコンテンツデータを再生可能とする端末からのコンテンツ要求に対して前記章が指定された場合に、指定された章に関連づけられている前記チャプターの定義情報に基づき、前記格納されたコンテンツデータから対応するチャプターのデータを抽出して要求元の前記端末へ送信する機能とを実現させるようにしてもよい。
【考案の効果】
【００１８】
以上述べたように、本考案によれば、配信者にとって見てもらいたい場面だけを抽出して試聴者に提供することが可能となるので、効率的は配信及び学習が可能となる。
また、個人単位やグループ単位で配信内容が異なる場合でも、格納されたオリジナルのコンテンツデータに対して物理的な分割や並べ替え、変換といった処理を施すことなく、章とチャプターとの関連付けやチャプターの定義情報を形成することで対応しているので、格納領域の負担が殆どなく、ハードウエア資源を有効利用できる学習支援技術を提供することが可能となる。
【００１９】
さらに、本考案によれば、コンテンツデータが映像／音声入力機器を接続可能な録画配信端末に格納されるのではなく、ネットワーク先にある管理サーバ５に格納されるので、録画を実行する端末（録画配信端末）の記憶容量に依存することがなくなり、録画配信端末をシンプルな端末で構成することが可能となる。
【考案を実施するための最良の形態】
【００２０】
以下、本考案の学習支援システムの実施形態を添付図面を参照しながら説明する。
【００２１】
図１において、本考案に係る学習支援システムの全体構成を示す模式図が示されている。この学習支援システムは、カメラ１やマイク２等の映像／音声入力機器を接続可能な録画配信端末３と、受信したコンテンツデータ（映像データ、音声データ等）を再生可能とする視聴者が使用する受信端末４と、これら録画配信端末３や受信端末４との間でデータを送受信可能とする管理サーバ５と、管理サーバ５に接続可能な管理者端末６を有して構成され、これら録画配信端末３、受信端末４、管理サーバ５、及び管理者端末６は、それぞれルータ７ａ，８a，９a，１０ａ及びスイッチハブ７ｂ,８ｂ,９ｂ，１０ｂを介してインターネット１１等のネットワークに接続されている。
【００２２】
録画配信端末３，受信端末４，及び管理者端末６は、Ｗｅｂブラウザやこれにインストールして動画等を含むコンテンツデータを表示するクライアントソフトウエア等を備えたパーソナルコンピュータや携帯端末機などによって構成され、図１の構成例においては、録画配信端末３として機能する１台のコンピュータと、受信端末４として機能する１台のコンピュータと、管理者端末６として機能する１台のコンピュータとによって構成されているが、これら端末は複数の端末で構成してもよい。
【００２３】
管理サーバ５は、その内部に個別な処理または機能を実現する複数のサーバを有しており、インターネット１１に接続するファイアウォールを含むＷｅｂサーバ１２と、録画・配信の処理を司る録画・配信サーバ１３と、学習支援業務に関する各種処理を行うアプリケーションサーバ１４と、学習支援業務に必要なデータベースを管理するデータベースサーバ１５とから構成されている。
【００２４】
Ｗｅｂサーバ１２は、録画配信端末３や受信端末４の要求に応じてウェブ（ＷＷＷ）を介して送受信するウェブ画面を要求元の端末に送信するもので、図２の画面遷移図に示される種々のウェブ画面が格納されたウェブデータベースを有し、要求に応じて必要なウェブ画面を各端末に送信するようにしている。
【００２５】
録画・配信サーバ１３は、録画配信端末３から送信された映像データ及び音声データを録画して指定されたフォルダに録画ファイルとして保管すると共に、保管されている録画コンテンツデータを何時でも視聴者が操作する受信端末４へ配信できるようにしている。
【００２６】
アプリケーションサーバ１４は、以下に示す録画配信関数群、チャプターリスト取得関数、チャプター編集関数、章・チャプター関連付け関数を少なくとも備える。尚、ここでｘｘ関数とは、ｘｘの処理を行うための処理プログラムを意味する。
【００２７】
録画制御関数群は、録画開始指令、録画停止指令、チャプター挿入命令、資料ページ切替命令、資料ファイル切替命令、カメラ切替命令などの録画制御に関する各種処理を行うプログラムである。それぞれの切替命令は、それぞれ対応する切替処理を行う共に、資料データテーブルに切替情報を保存する処理を行う。
【００２８】
チャプターリスト取得関数は、チャプターリストを画面表示させるためにリスト化すべきチャプターを取得する処理を行うプログラムである。また、チャプター編集関数は、編集されたチャプターリストを確定し、チャプターテーブルを作成する処理を行うプログラムである。章・チャプター関連付け関数は、指定された章と選択されたチャプターとの関連づけを行うプログラムである。
【００２９】
データベースサーバ１５は、録画中に使用された資料に関する経時的なイベント（ページ切替、資料切替）に対応した表示情報を後述するチャプター毎に記録する資料データテーブルと、資料に関する経時的なイベントに合わせてチャプター毎に録画情報を記録する録画データテーブルと、生成されたチャプターに関する定義情報を記録するチャプターテーブルと、録画ファイルの基本情報を記録する録画情報テーブルとを少なくとも備える。
【００３０】
具体的には、資料データテーブルは、図３に示されるように、資料ＩＤ，資料ファイル名、資料ページ、表示時間などの切替履歴がチャプターＩＤに対応付けられて格納され、録画データテーブルは、録画ＩＤ、録画ファイル名、録画時間等がチャプターＩＤに対応付けて格納され、チャプターテーブルは、チャプター名と録画時間等がチャプターＩＤに対応づけて格納されている。したがって、これら資料データテーブル、録画データテーブル、及びチャプターテーブルは、チャプターＩＤによって関連づけられている。また、録画情報テーブルは、録画日、録画者、録画名、録画時間等が録画情報ＩＤに対応づけて格納されている。この録画情報テーブルとチャプターテーブルは、録画情報ＩＤとチャプターＩＤとの対応関係が示された関連付けテーブルによって関連づけられている。
【００３１】
本システムは、情報処理装置として必要な機能の他に、上述した各種関数を利用して、ハードウエア資源との協働により、図４に示されるような、「録画」→「チャプター編集」→「章とチャプターの関連付け」→「チャプター再生」の一連の処理を行う手段を備える。即ち、録画配信端末から送信されるコンテンツデータを格納するコンテンツデータ格納手段と、取得されたコンテンツデータから論理的な複数のチャプターを生成するチャプター編集手段と、論理的に分割されたチャプターとこれより大きい単位である章とを関連付ける関連付け手段と、章に関連付けられたチャプターを再生する再生手段を備える。
【００３２】
コンテンツデータ格納手段は、録画配信端末３に接続された映像／音声入力機器（カメラ１、マイク２）を介して取得された映像データ及び音声データをインターネット１１を介して管理サーバ５に入力し、録画ファイルとして格納する手段を含み、録画配信端末３から管理サーバ５にアップロードされる資料データを資料ファイルとして格納する手段も含む。即ち、録画配信端末３から送信される映像／音声データや資料データからなるコンテンツデータを別々のファイルとして記録する手段であり、講義等の映像・音声・資料をそのまま格納する機能を有する。
【００３３】
チャプター編集手段は、管理サーバ５に格納されたコンテンツデータを時間軸上の指定された位置を境に複数の論理的なチャプターに分割し、この分割されたそれぞれのチャプターを特定する定義情報を生成する手段であり、録画された映像・音声ファイルを直接操作して別ファイルを生成し保存するのではなく、論理的に区切る位置を前記各種テーブルの情報としてデータベースに保存する手段である。
【００３４】
関連付け手段は、チャプターより大きい単位である章に対して前記分割されたチャプターの少なくとも１つを割り当てることにより章とチャプターとを関連付ける手段であり、管理サーバに格納されている過去の複数のコンテンツデータの中から、紐付けしたいチャプターを選択することで章に割り当てる手段である。
【００３５】
再生手段は、例えば受信端末を介して起動されたＷｅｂブラウザからコース・章を指定してコンテンツ要求をすることで、指定された章に割り当てられているチャプターの定義情報に基づき、管理サーバ５に格納されたコンテンツデータから対応するチャプターのデータを抽出し、要求された端末へ送信する手段である。
【００３６】
以下において、上述した録画、チャプター編集、章とチャプターとの関連付け、チャプターの再生の各動作処理例をフローチャートを交えて詳細に説明する。
【００３７】
（１）  録画について
録画を開始する前に資料データを録画配信端末３から管理サーバ５に予めアップロードし、資料ファイルとして所定のフォルダに保存しておく。
録画処理においては、図５に示されるように、録画配信端末３に映像／音声入力機器（カメラ１とマイク２）を接続し、Ｗｅｂブラウザを立ち上げて所定の操作をして録画を開始すると、この端末に接続されているカメラ１からの映像データとマイク２からの音声データとがインターネット１１を経由して管理サーバ５に送信され、管理サーバ５は、これらのデータを受け取ると、録画制御関数群により映像ファイルと音声ファイルとを録画ファイルとして所定のフォルダに保存する。それと同時にこれらの映像・音声ファイル名や資料ファイル名などの定義情報をデータベースにテーブルとして保存する。
【００３８】
このような処理を行うために、図６に示されるような録画配信画面が用意されている。この録画配信画面において、２０は講師が選択した資料が表示される資料表示エリア、２１は資料のページ送り・戻しを行うページ切替ボタン、２２は資料ファイルの切替を行う資料切替ボタン、２３は資料ファイルを管理サーバへアップロードするための資料ファイルアップロードボタンである。また、２４は録画されるカメラ映像を切り替えるカメラ切替ボタンであり、録画配信端末３に接続されたすべてのカメラ映像が表示され（この例では３台のカメラ映像が表示され）、表示部分をクリックするとその部分のカメラ映像が録画配信されるようになっている。２５は、講義情報や参加ユーザのリストなどを表示したり、各種設定ボタンが配されているコントロールエリアであり、このうち、２６は、録画を開始又は終了させるための録画ボタンである。
【００３９】
録画配信端末３においては、録画配信画面が起動されると、図７に示されるように、所定の初期化処理（Ｓ１）が行われ、各種ボタンの押下を待機する入力受付状態となる（Ｓ２）。
【００４０】
この入力受付状態において、録画ボタン２６が押下されると（Ｓ３）、録画配信端末３は、図８に示されるような録画ボタン押下フローを実行する。即ち、録画配信端末３は、録画停止中であるか否かを判定し（Ｓ１０）、録画停止中であると判定された場合（ＹＥＳの場合）には、管理サーバ５上の前記録画制御関数群の録画開始命令を呼び出して録画を開始し（Ｓ１１）、カメラ１から入力された映像データとマイク２から入力された音声データを管理サーバ５（録画・配信サーバ１３）へ送信し、管理サーバ５において録画ファイル（映像データ、音声データ）として所定のフォルダに格納する。そして、録画ボタン２６の表示を「録画中」に変更し（Ｓ１２）、各種ボタンの押下を待機するＳ２の入力受付状態とする（Ｓ１３）。また、録画停止中でない、即ち、録画中であると判定された場合（ＮＯの場合）には、録画配信端末３は、管理サーバ５上の前記録画制御関数群の録画停止命令を呼び出して録画を停止し（Ｓ１４）、録画ボタンの表示を「録画」に変更し（Ｓ１５）、各種ボタンの押下を待機するＳ２の入力受付状態とする（Ｓ１３）。
【００４１】
また、入力受付状態（Ｓ２）において、ページ切替ボタン２１が押下されると（Ｓ４）、録画配信端末３は、図９に示されるようなページ切替ボタン押下フローを実行する。即ち、録画配信端末３は、録画停止中であるか否かを判定し（Ｓ２０）、録画停止中であると判定された場合（ＹＥＳの場合）には、切替情報を管理サーバ５（データベースサーバ１５）の資料データテーブルに保存せずに資料の表示ページを変更し（Ｓ２１）、しかる後に、各種ボタンの押下を待機するＳ２の入力受付状態とする（Ｓ２２）。録画停止中でないと判定された場合、即ち、録画中であると判定された場合（ＮＯの場合）には、録画配信端末３は、管理サーバ５上の前記録画制御関数群の資料ページ切替命令を呼び出し（Ｓ２３）、呼び出しが成功したか否かを判定する（Ｓ２４）。その結果、呼び出しが成功した場合には、資料の表示ページを変更すると共に、切替情報を管理サーバ５（データベースサーバ１５）の資料データテーブルに保存し（Ｓ２５）、しかる後に、各種ボタンの押下を待機するＳ２の入力受付状態とする（Ｓ２２）。これに対して、呼び出しが成功しなかった場合には、録画情報を管理サーバ５（データベースサーバ１５）の資料データテーブルに保存せずに資料の表示ページを変更し（Ｓ２１）、しかる後に、各種ボタンの押下を待機するＳ２の入力受付状態とする（Ｓ２２）。
【００４２】
入力受付状態において、カメラ切替ボタン２４が押下されると、録画配信端末３は、図１０に示されるようなカメラ切替ボタン押下フローを実行する。即ち、録画配信端末３は、録画停止中であるか否かを判定し（Ｓ３０）、録画停止中であると判定された場合（ＹＥＳの場合）には、録画情報を管理サーバ５（データベースサーバ１５）の録画データテーブルには保存せずに録画・配信中のカメラ映像を変更し（Ｓ３１）、しかる後に、各種ボタンの押下を待機するＳ２の入力受付状態とする（Ｓ３２）。また、録画停止中でないと判定された場合、即ち、録画中であると判定された場合（ＮＯの場合）には、録画配信端末３は、管理サーバ５上の前記録画制御関数群のカメラ切替命令を呼び出し（Ｓ３３）、呼び出しが成功したか否かを判定する（Ｓ３４）。その結果、呼び出しが成功した場合には、録画・配信中のカメラ映像を変更すると共に、録画情報を管理サーバ５（データベースサーバ１５）の録画データテーブルに保存し（Ｓ３５）、しかる後に、各種ボタンの押下を待機するＳ２の入力受付状態とする（Ｓ３２）。これに対して、呼び出しが成功しなかった場合には、録画情報を管理サーバ５（データベースサーバ１５）の録画データテーブルには保存せずに録画・配信中のカメラ映像を変更し（Ｓ３１）、しかる後に、各種ボタンの押下を待機するＳ２の入力受付状態とする（Ｓ３２）。
【００４３】
入力受付状態において、資料切替ボタン２２が操作されると、録画配信端末３は、図１１に示されるような資料切替ボタン押下フローを実行する。即ち、録画配信端末３は、録画停止中であるか否かを判定し（Ｓ４０）、録画停止中であると判定された場合（ＹＥＳの場合）には、切替情報を管理サーバ５（データベースサーバ１５）の資料データテーブルには保存せずに資料を変更し（Ｓ４１）、しかる後に、各種ボタンの押下を待機するＳ２の入力受付状態とする（Ｓ４２）。また、録画停止中でないと判定された場合、即ち、録画中であると判定された場合（ＮＯの場合）には、録画配信端末３は、管理サーバ５上の前記録画制御関数群の資料切替命令を呼び出し（Ｓ４３）、呼び出しが成功したか否かを判定する（Ｓ４４）。その結果、呼び出しが成功した場合には、資料を変更すると共に、切替情報を管理サーバ５（データベースサーバ１５）の資料データテーブルに保存し（Ｓ４５）、しかる後に、各種ボタンの押下を待機するＳ２の入力受付状態とする（Ｓ４２）。これに対して、呼び出しが成功しなかった場合には、切替情報を管理サーバ５（データベースサーバ１５）の資料データテーブルには保存せずに資料を変更し（Ｓ４１）、しかる後に、各種ボタンの押下を待機するＳ２の入力受付状態とする（Ｓ４２）。
【００４４】
以上の各種ボタンの操作に基づき、録画する際に図１２に示されるような操作（イベント）が行われた場合を例にして説明する。この例においては、録画配信画面を起動して、録画を開始する前に資料切替ボタン２２により表示資料を資料１に切り替え、カメラ切替ボタン２４によりカメラ映像をＡに切り替える。この状態において、録画を開始し、録画中において、次の順序でイベントを発生させる。
１．録画開始から８分９秒の時点で、資料ベージ切替ボタン２１により資料１の資料ページを２ページに切り替える。
２．録画開始から１４分２１秒の時点で、資料ページ切替ボタン２１により資料１の資料ページを３ページに切り替える。
３．録画開始から２２分５３秒の時点で、カメラ切替ボタン２４によりカメラ映像をカメラＢに切り替える。
４．録画開始から２９分３１秒の時点で、カメラ切替ボタン２４によりカメラ映像をカメラＣに切り替える。
５．録画開始から３５分２１秒の時点で、資料切替ボタン２２により資料ファイルを資料２に切り替える。
６．録画開始から４１分２１秒の時点で、資料ページ切替ボタン２１により資料２の資料ページを１０ページに切り替える。
７．録画開始から５０分３秒の時点で、カメラ切替ボタン２４によりカメラ映像をカメラＡに切り替える。
【００４５】
管理サーバ５は、録画が開始されると、内部のタイマーが起動し、録画中に資料ファイルを切り替えたり、資料ページを切り替えたり、カメラを切り替える操作（イベント）に対して、内部タイマーによって、図１３に示されるように、各イベントの発生時を特定し、資料ファイルやカメラ映像の表示時間を算出して、前記図３に示されるような資料ＩＤ，資料ファイル名、資料ページ、表示時間をテーブル化した資料データテーブル、録画ＩＤ、録画ファイル名、録音時間をテーブル化した録画データテーブル、及び録画日、講義者、録画名、録画時間をテーブル化した録画情報テーブルが作成される。ただし、この時点においては、チャプターは生成されていないので、チャプターＩＤとの関連付けはなされていない。
【００４６】
（２）  チャプター編集について
チャプター編集処理においては、録画されて格納された録画ファイル（映像データや音声データ）を再生し、時間軸上の意図した位置で区切ることにより複数のチャプターに論理的に分割し、また必要に応じて分割したチャプターを削除し、最終的に得られた分割されたチャプターを確定してその定義情報を生成する。ここで、録画ファイルを論理的に分割とは、録画ファイル（映像・音声データ)を物理的に分離して別々のファイルを生成することではなく、オリジナルの録画データの意図した位置を特定して、この位置を境にデータを論理的に区画することで、オリジナルのコンテンツデータに手を加えることのない非破壊編集を意味する。このような処理を行うために、図１４に示されるようなチャプター編集画面が用意されている。
【００４７】
このチャプター編集画面において、３０は録画した録画ファイルを再生した際に録画資料が表示される資料表示エリア、３１は録画名や録画者が表示される情報表示エリア、３２は録画した映像が表示される映像表示エリア、３３は録画した映像の再生制御とチャプター編集を行うコントロールエリアである。コントロールエリア３３には、図１４（ｂ）にも示されるように、録画ファイルを再生・一時停止する再生・一時停止ボタン３４、再生状態を停止させる停止ボタン３５、再生状態にある録画ファイルを巻き戻す巻き戻しボタン３６、再生状態にある録画ファイルを早送りする早送りボタン３７、再生中の録画ファイルを見ながら時間軸上の意図した箇所を指定することでチャプターを挿入するチャプター挿入ボタン３８、チャプター挿入により挿入されたチャプターのリストが表示されるチャプターリストボックス３９、挿入された既存のチャプターを削除するチャプター削除ボタン４０、チャプターの挿入、削除の操作により決定されたチャプターを確定するチャプター確定ボタン４１が設けられている。
【００４８】
チャプター編集は、上述したコントロールエリア３３の各種ボタンを操作して行われるもので、例えば、管理者端末６からＷｅｂブラウザを立ち上げて上述したチャプター編集画面を起動すると、図１５に示されるように、管理者端末６において所定の初期化処理が行われ（Ｓ５１）、その後、チャプターリストを取得する処理が行われる（Ｓ５２）。
【００４９】
このチャプターリストの取得処理は、チャプター挿入しようとする録画ファイルに対して既存のチャプターが存在する場合にこれをチャプターリストとしてチャプターリストボックス３９に表示するもので、具体的には、図１６に示されるように、チャプターリスト取得関数を呼び出し（Ｓ７０）、成功したか否かが判定され（Ｓ７１）、成功した場合にはリスト化されたチャプターがまだあるか否かを判定する（Ｓ７２）。リスト化されたチャプターが存在すれば、そのチャプター情報を取得してチャプターリストに表示させる（Ｓ７３）。即ち、チャプターＩＤに取得したチャプターＩＤをセットし、チャプター名に取得したチャプター名をセットし、開始時刻に取得した開始時間をセットし、終了時刻に取得した終了時間をセットし、チャプターリストボックスに空行を追加し、その追加した空行にチャプターＩＤ，チャプター名、開始時間を表示し、開始時間でソートしてチャプターリストを再表示させる。
【００５０】
この処理は、リスト化されたチャプターに対して順次おこなわれ、取得すべきチャプターがなくなった時点でチャプター編集画面を表示する（Ｓ７４）。尚、チャプターリスト取得関数の呼び出しに失敗した場合には、「チャプターリストの取得に失敗しました。」のエラーメッセージを表示エリアにセットし、チャプター編集画面を表示する（Ｓ７５）。
【００５１】
管理者端末６は、チャプターリストを取得した後に、チャプターリストに表示されているチャプター数が１以上であるか否かを判定する（Ｓ５３）。チャプターリストにチャプターが１つも表示されていない場合には、なにも再生されず、
前記各種ボタンの押下を待機する入力受付状態とする（Ｓ５４）。チャプターリストの数が１以上である場合には、現在チャプターリストボックスのチャプターが選択されているか否かを判定し（Ｓ５５）、選択されていれば、その状態を維持し、選択されていない場合には、チャプターリストボックス３９の先頭のチャプターを選択する（Ｓ５６）。そして、１秒間隔でイベントが発生する映像音声監視タイマーを起動すると共に（Ｓ５７）、１秒間隔でイベントが発生する資料表示監視タイマーを起動し（Ｓ５８）、各種ボタンの押下を待機する入力受付状態とする（Ｓ５４）。
【００５２】
この入力受付状態において、再生・一時停止ボタン３４が押下されると（Ｓ５９）、管理者端末６は、図１７に示されるような再生・一時停止ボタン押下フローを実行する。即ち、管理者端末６は、再生・一時停止ボタンを押下した時点で、現在停止中であるか否か（Ｓ８０）、また、現在再生中であるか否かを判定し（Ｓ８１）、現在停止中であると判定された場合には、再生・一時停止ボタンを
0003141460.tif 000003
に変更すると共に（Ｓ８２）、再生中の映像、音声を一時停止にし、資料監視タイマー、映像・音声監視タイマーをＯＮにし（Ｓ８３）、その後、各種ボタンの押下を待機するＳ５４の入力受付状態とする（Ｓ８４）。現在停止中ではなく、再生中であると判定された場合には、再生・一時停止ボタンを
0003141460.tif 000004
に変更すると共に（Ｓ８５）、再生中の映像、音声を一時停止にし、資料監視タイマー、映像・音声監視タイマーをＯＦＦにし（Ｓ８６）、その後、各種ボタンの押下を待機するＳ５４の入力受付状態とする（Ｓ８４）。また、現在停止中ではなく、また、再生中でもないと判定された場合には、再生・一時停止ボタンを
0003141460.tif 000005
に変更すると共に（Ｓ８７）、再生中の映像、音声を一時停止にし、資料監視タイマー、映像・音声監視タイマーをＯＮにし（Ｓ８８）、その後、各種ボタンの押下を待機するＳ５４の入力状態とする（Ｓ８４）。
【００５３】
入力受付状態において、停止ボタン３５が押下されると（Ｓ６０）、管理者端末６は、図１８に示されるような停止ボタン押下フローを実行する。即ち、管理者端末６は、現在停止中であるか否かを判定し（Ｓ９０）、現在停止中であると判定された場合には、現状を維持してＳ５４の入力待機状態とする（Ｓ９１）。現在停止中ではないと判定された場合には、再生・一時停止ボタンを
0003141460.tif 000006
に変更すると共に（Ｓ９２）、再生中の映像、音声を一時停止にし、資料監視タイマー、映像・音声監視タイマーをＯＦＦにし（Ｓ９３）、その後、各種ボタンの押下を待機するＳ５４の入力受付状態とする（Ｓ９１）。
【００５４】
入力受付状態において、巻き戻しボタン３６が押下されると（Ｓ６１）、管理者端末６は、図１９に示されるような巻き戻しボタン押下フローを実行する。即ち、管理者端末６は、現在停止中であるか否かを判定し（Ｓ１００）、現在停止中であると判定された場合には、現状を維持してＳ５４の入力待機状態とする（Ｓ１０１）。これに対して、現在停止中ではないと判定された場合、即ち、再生中であると判定された場合には、映像・音声を１秒分巻き戻しを行い（Ｓ１０２）、その後、各種ボタンの押下を待機するＳ５４の入力受付状態とする（Ｓ１０１）。
【００５５】
入力受付状態において、早送りボタン３７が押下されると（Ｓ６２）、管理者端末６は、図２０に示されるような早送りボタン押下フローを実行する。即ち、管理者端末６は、現在停止中であるか否かを判定し（Ｓ１０５）、現在停止中であると判定された場合には、現状を維持してＳ５４の入力待機状態とする（Ｓ１０６）。これに対して、現在停止中ではないと判定された場合、即ち、再生中であると判定された場合には、映像・音声を１秒分早送りを行い（Ｓ１０７）、その後、各種ボタンの押下を待機するＳ５４の入力受付状態とする（Ｓ１０６）。
【００５６】
入力受付状態において、映像音声監視タイマーのイベントが発生した場合には（Ｓ６３）、管理者端末６は、図２１に示されるような映像音声監視タイマーイベント発生フローを実行する。即ち、管理者端末６は、現在の時間を取得して再生を開始してからの経過時間（現在の再生時間）を取得し（Ｓ１１０）、現在の時間で表示している映像、又は、現在の時間で表示している音声が正しいか否かを判定する（Ｓ１１１）。具体的には、現在の再生時間に基づき、チャプターリストのデータの開始時刻と終了時刻とから該当する録画ファイル名を検索して取得し、この録画ファイル名が現在再生中の録画ファイル名と同じであるか否かを判定する。
【００５７】
このステップ（Ｓ１１１）において、現在の時間で表示されている映像及び音声が正しいと判定された場合には、格別な処理をせずに、各種ボタンの押下を待機するＳ５４の入力受付状態とする（Ｓ１１２）。これに対して、現在の時間で表示されている映像または音声が違っていると判定された場合には、チャプターリストボックスから再生すべきチャプターのチャプターＩＤ、映像ファイル名、音声ファイル名、開示時間、終了時間を取得し、再生を開始する（Ｓ１１３）。その後、各種ボタンの押下を待機するＳ５４の入力受付状態とする（Ｓ１１２）。
【００５８】
また、入力受付状態において、資料監視タイマーのイベントが発生した場合には（Ｓ６４）、管理者端末６は、図２２に示されるような資料表示監視タイマーイベント発生フローを実行する。即ち、管理者端末６は、現在の時間を取得して再生を開始してからの経過時間（現在の再生時間）を取得し（Ｓ１１５）、チャプターリストからその時刻において表示すべき資料ファイル名と資料のページを取得し（Ｓ１１６）、この取得情報をもとに現在の時間で表示している資料、又は、現在の時刻で表示している資料のベージ番号が正しいか否かを判定する（Ｓ１１７）。
【００５９】
このステップにおいて、現在の時間で表示されている資料及び資料のページ番号が正しいと判定された場合には、格別な処理をせずに、各種ボタンの押下を待機するＳ５４の入力受付状態とする（Ｓ１１８）。これに対して、現在の時間で表示されている資料または資料のページが違っていると判定された場合には、その時刻において表示すべき資料、あるいは、その時間において表示すべき資料のページ番号を表示する（Ｓ１１９）。その後、各種ボタンの押下を待機するＳ５４の入力受付状態とする（Ｓ１１８）。
【００６０】
入力受付状態において、チャプター挿入ボタン３８が押下されると（Ｓ６５）、管理者端末６は、図２３に示されるようなチャプター挿入ボタン押下フローを実行する。即ち、管理者端末６は、現在の再生時間が１秒以上であるか否か（Ｓ１２０）、また、現在の再生時間が動画の秒数以下であるか否かを判定する（Ｓ１２１）。これは、再生中にチャプター挿入ボタン３８が押下されたものであるか否かを判定するもので、再生中に押下されたものでないと判定された場合には、チャプター挿入の処理は行わず、各種ボタンの押下を待機するＳ５４の入力受付状態とする（Ｓ１２２）。
【００６１】
これに対して、再生中にチャプター挿入ボタン３８が押下されたと判定された場合には、以下に述べるチャプター挿入が行われる。即ち、チャプターＩＤを−１にセットし、チャプター名に「新規チャプター」の文字列とチャプター数を加えた文字列をセットし、開始時刻に挿入するチャプターの開始時間（再生開始からの経過時間）をセットし、終了時刻に、挿入するチャプターの終了時間（再生開始からの経過時間）をセットし、チャプターリストボックス３９に選択されている次の行に空行を追加し、その追加した空行にチャプターＩＤ，チャプター名、開始時間を表示し、開始時間でソートし、チャプターリストボックス３９を再表示する（Ｓ１２３）。
【００６２】
このような処理により、録画が終了した時点では、チャプターリストは１つの状態であるが、チャプター編集画面でチャプター挿入ボタン３８を押すことにより複数のチャプターに分割され、その分割された複数のチャプターがチャプターリストに表示される。具体的には、チャプター挿入ボタン３８を押した段階での再生開始からの経過時間を取得し、その経過時間から、どこに空行を追加するかが決定される。たとえば、１時間の録画をチャプターに分ける作業を行う場合を想定し、コンテンツの再生シークバーが20分を指している時点で、チャプター挿入ボタン３８を押すと、チャプターリストは、
新規チャプター1    00:00:00〜00:20:00
新規チャプター2    00:20:00〜01:00:00
となり、空行は新規チャプター1の後ろに作成される。さらに、コンテンツの再生シークバーが40分を指している時点で、チャプター挿入ボタン３８を押すと、チャプターリストは、
新規チャプター1    00:00:00〜00:20:00
新規チャプター2    00:20:00〜00:40:00
新規チャプター3    00:40:00〜01:00:00
のようになり、空行は新規チャプター2の後ろに作成される。さらに、コンテンツの再生シークバーが25分を指している時点で、チャプター挿入ボタンを押すと、チャプターリストは、
新規チャプター1    00:00:00〜00:20:00
新規チャプター4    00:20:00〜00:25:00
新規チャプター2    00:25:00〜00:40:00
新規チャプター3    00:40:00〜01:00:00
のようになり、空行は新規チャプター1の後ろに作成される。
このように、時間軸上の意図した位置でチャプター挿入ボタン３８を押すごとに、既存のチャプターが分割され、チャプターが挿入される。
【００６３】
入力受付状態において、チャプター削除ボタン４０が押下されると（Ｓ６６）、管理者端末６は、図２４に示されるようなチャプター削除ボタン押下フローを実行する。即ち、管理者端末６は、チャプターＩＤに削除するチャプターＩＤをセットし、チャプター名に削除するチャプター名をセットし、開始時刻に削除するチャプターの開始時間をセットし、終了時刻に、削除するチャプターの終了時間をセットし、削除チャプターリストオブジェクトにこれらの値をセットし、チャプターリストボックス３９から削除ボタン４０を押した行と同一の行を削除し、開始時間でソートし、チャプターリストを再表示する（Ｓ１３０）。
そして、その後に、各種ボタンの押下を待機するＳ５４の入力受付状態とする（Ｓ１３１）。
【００６４】
以上のようにチャプターの追加削除が行われ、分割されたチャプターを確定するために、入力受付状態において、チャプター確定ボタン４１が押下されると（Ｓ６７）、管理者端末６は、図２５に示されるようなチャプター確定ボタン押下フローを実行する。即ち、管理者端末６は、チャプター確定ボタン４１が押下されると、画面に「チャプター確定中」と表示し（Ｓ１４０）、リスト化されたチャプターがまだあるか否かを判定し（Ｓ１４１）、リスト化されたチャプターが存在しなければ、画面に表示された「チャプター確定中」の表示を消し（Ｓ１４２）、各種ボタンの押下を待機するＳ５４の入力受付状態とする（Ｓ１４３）。
【００６５】
これに対して、リスト化されたチャプターがあると判定された場合には、取得する行（ｎ）をインクリメントし、チャプターリストからｎ行目のチャプターＩＤ、チャプター名、開示時間、終了時間を取得し、これらの値をチャプター編集関数のパラメータとして処理し、画面上には表示されない確定チャプターリストに格納する（Ｓ１４４）。即ち、チャプター編集により追加、削除されたリスト中の全てのチャプターに対して、チャプターを１つずつ取得して確定チャプターリストに格納する。
この確定チャプターリストは、管理者端末から管理サーバ５へ送信され、前記チャプターリストとして格納される。そして、その後に画面に表示された「チャプター確定中」の表示を消し（Ｓ１４２）、各種ボタンの押下を待機するＳ５４の入力受付状態とする（Ｓ１４３）。
【００６６】
以上の処理が可能なチャプター編集画面を用いて、図１３に示される録画ファイルに対して、図２６で示されるような操作を行った場合を想定する。
即ち、先ず、チャプター編集画面を起動した後に、図１３で示されるような録画ファイルの再生を開始し、再生してから１１分１２秒の時点でチャプター挿入ボタン３８を押下してチャプターを挿入し、再生してから１１分１２秒までのチャプターに対してチャプター名を「ネットワーク概要」に変更する。その後、再生してから４３分５３秒の時点でチャプター挿入ボタンを押下してチャプターを挿入し、１１分１２秒から４２分５３秒までのチャプターに対してチャプター名を「ネットワークとは」に変更すると共に残りのチャプター（４２分５３秒から５５分５１秒までのチャプター）に対してチャプター名を「Ethernet（登録商標）とは」に変更する。そして、チャプター確定ボタン４１を押下して分割されたチャプターを確定し、チャプター編集画面を終了させる。
【００６７】
このような処理に対して、論理的に分割されたチャプターは、図２７に示されるように形成され、それぞれのチャプターの定義情報を示すテーブルは、前述した図３に示されるように形成されて管理サーバ５（データベースサーバ１５）に格納され、このチャプターテーブルと、録画時に形成された録画情報テーブル、録画データテーブル、資料データテーブルは、同図に示され録画情報テーブルとチャプターテーブルとを関連付けるテーブルやチャプターＩＤによって関連付けられる。
【００６８】
（３）  章とチャプターとの関連付けについて
章とは、コースより小さく、チャプターよりも大きい単位として定義されるもので、予め作成した章に対して、前記チャプター編集により確定された既存のチャプターリストの中からチャプターを選択して割り当てることにより、章とチャプターとの関連付けを行うようにしている。この関連づけは、複数のチャプターに対して行うことができ、例えば、図２８に示される例では、「ネットワーク講座」というコース名に第１章と第２章の２つの章が形成され、第１章に、２００７年４月１５日に録画された「ネットワーク基礎講座」の「ネットワークとは」と「Ethernet（登録商標）とは」という２つのチャプターと、２００７年４月２３日に録画された「ネットワーク基礎講座」の「TCP/IPプロトコル」と「ＩＰアドレス」という２つのチャプターと、２００７年５月１２日に録画された「ネットワーク基礎講座」の「ＭＡＣアドレス」という１つのチャプターが割り当てられている。また、第２章に、２００７年４月２３日に録画された「ネットワーク基礎講座」の「ＯＳＩ参照モデル」という１つのチャプターと、２００７年５月１２日に録画された「ネットワーク基礎講座」の「コリジョンとは」という１つのチャプターと、２００７年５月２１日に録画された「ネットワーク基礎講座」の「ルータの役割」という１つのチャプターが割り当てられている。
【００６９】
このような関連付けの処理を行うために、図２９に示されるような章とチャプターの関連付け画面が用意されている。この章とチャプターの関連付け画面において、５０は、前記チャプター編集により確定された全てのチャプターを一覧表示するチャプター一覧表示部、５１は、関連付けしたいチャプターにチェックをつけるチェックボックス、５２は、チェックされたチャプターの割り当てを確定し、チェックされたチャプターと章との関連付けを実行する登録ボタン５２である。
【００７０】
このような画面を用いた章とチャプターの関連付けは、コースや章が作成されている場合に行うことができるようになっており、これらコースや章の表示及び作成・編集は、例えば、管理者端末６において、図２に示される「コース一覧画面」、「コース作成・編集画面」、「章一覧画面」、「章作成・編集画面」を起動させることによって行われ、また、関連付けられた章とチャプターの一覧表示は、「章とチャプターの関連付け一覧画面」を起動させることによって行われる。
【００７１】
即ち、図３０に示されるように、コース一覧画面に意図したコースが作成されていない場合には、コース一覧画面からコース作成・編集画面を起動してコースを作成し、すでにコースが作成されている場合には、コース一覧画面から章一覧画面を起動して意図した章があるか否かを確認する。また、章一覧画面に意図した章が作成されていない場合には、章一覧画面から章作成・編集画面を起動して章を作成し、すでに章が作成されている場合には、指定された章に対して章とチャプターの関連付け一覧画面を起動して現在の章とチャプターとの関連付け状況を確認する。この章とチャプターの関連付け一覧画面に関連付けられたチャプターの表示がない場合やチャプターの関連付けを再編集したい場合には、図３１に示されるように、章とチャプターの関連付け一覧画面から前記図２９に示す章とチャプターの関連付け画面を起動させ、関連付けを行った上で登録して章とチャプターの関連付け画面を閉じると、再び章とチャプターの関連付け一覧画面が表示され、関連付けられたチャプターが表示されるようになっている。
【００７２】
具体的には、章とチャプターの関連付け画面が起動されると、管理サーバ５に対して前記チャプターリストの取得を要求し、これを受けて管理サーバ５は、チャプターリストをデータベースから抽出して管理者端末６に送信し、管理者端末６は、受け取ったチャプターリストを図２９で示すように表示する。そして、関連付けしたいチャプターのチェックボックス５１にチェックをした上で登録ボタン５２が押下されると、図３２に示されるように、チェックボックスにチェックが付されているチャプターのＩＤリストが取得され(Ｓ１５０)、チェックがついているＩＤリストがまだあるか否かを判定し(Ｓ１５１)、ＩＤリストがあれば、ＩＤリストからｎ行目のチャプターＩＤを取得し、これらの値を章・チャプター関連付け関数のパラメータとして呼び出し、指定された章と選択されたチャプターとを関連づける(Ｓ１５２)。即ち、取得されたチャプターＩＤが管理サーバ５へ送信され、管理サーバ５において、受信したチャプターＩＤのリストと章とを関連づける処理が行われる。
この処理は、チェックが付されたチャプターに対して順次行われ、全てのチェックされたチャプターに対して行われた後に画面に「変更しました」と表示して登録処理を終える(Ｓ１５３)。そして、登録後に章とチャプターの関連付け画面を閉じると、関連付けされたチャプターが章とチャプターの関連付け一覧画面表示されるようになっている。
【００７３】
このようにして登録されたチャプターは、前述のように「資料データテーブル」、「録画データテーブル」、「録画情報テーブル」と図３に示されるように関連付けられており、また、コース情報を格納しているコーステーブルや章情報を格納している章テーブルに対して、図３３に示されるように関連付けられる。即ち、コーステーブルには、例えばコースＩＤがコース名称と共に格納され、章テーブルには、例えば章ＩＤが章名称と共に格納され、コーステーブルと章テーブルとは、コースＩＤと章ＩＤとを関連づける関連付けテーブルによって関連づけられ、章テーブルとチャプターテーブルとは、章ＩＤとチャプターＩＤとを関連付ける関連付けテーブルによって関連付けられている。
【００７４】
（４）  再生について
再生処理は、例えば、受信端末４を介して章一覧画面から章が指定されると、図３４に示されるように、この指定された章から図３３において関連付けされているチャプターを抽出し、チャプター毎の録画ファイル名、資料ファイル名、資料ページ、開始時間、終了時間等を取得し、チャプターリストに表示させる。また、チャプターリストから１つのチャプターが選択されると、そのチャプターの定義情報（図３に示すチャプターテーブル）に基づき、そのチャプターに対応した映像ファイル、音声ファイル、資料ファイルが抽出され、コンテンツ要求をした端末（この例では受信端末４）へ送信され、その端末のＷＥＢブラウザ上で映像ファイルや音声ファイルの再生が開始され、再生時間軸を基軸にして資料ファイルとページを切替ながら表示する。
【００７５】
このような処理を行うために、図３５（ａ）に示されるようなチャプター再生画面が用意されている。このチャプター再生画面において、６０は、録画した資料が表示される資料表示エリア、６１は、コース名や章名が表示される情報表示エリア、６２は、録画した映像が表示される映像表示エリア、６３は、録画した映像の再生制御とチャプター編集を行うコントロールエリア、６４は、関連付けされているチャプターの一覧が選択可能に表示されているチャプターリストボックスである。
【００７６】
コントロールエリア６３には、図３５（ｂ）にも示されるように、コンテンツの再生、一時停止を制御する再生・一時停止ボタン６５、再生状態を停止させる停止ボタン６６と、表示している動画のタイムラインに沿ってアイコンが移動し、ドラッグ＆ドロップすると動画をシークさせることができる再生シークバー６７を備えている。
【００７７】
チャプター再生は、上述したコントロールエリアの各種ボタンやチャプターリストを操作して行われるもので、受信端末４からＷＥＢブラウザを立ち上げてチャプター再生画面が起動されると、受信端末４において、図３６に示されるように、所定の初期化処理が行われ(Ｓ１６１)、その後、チャプターリストを取得する処理が行われる(Ｓ１６２)。
【００７８】
このチャプターリストの取得処理は、指定された章に割り当てられているチャプターをチャプターリストとしてチャプターボックス６４に表示するもので、具体的には、図３７に示されるように、チャプターリスト取得関数を呼び出し（Ｓ１８０）、呼び出しが成功したか否かを判定し（Ｓ１８１）、成功した場合には、指定された章に割り当てられている登録されたチャプターのリストがまだあるか否かを判定する（Ｓ１８２）。登録されたチャプターが存在すれば、そのチャプター情報を取得してチャプターリストに表示させる（Ｓ１８３）。即ち、チャプターＩＤに取得したチャプターＩＤをセットし、チャプター名に取得したチャプター名をセットし、開始時刻に取得した開始時間をセットし、終了時刻に取得した終了時間をセットし、ファイル名に取得したファイル名をセットし、ソート番号に取得したソート番号ファイル名をセットし、チャプターリストボックスに空行を追加し、その追加した空行にチャプター名を表示し、ソート番号でソートし、チャプターリストを再表示させる。
【００７９】
この処理は、登録されているチャプターに対して順次おこなわれ、取得すべきチャプターがなくなった時点でチャプター再生画面を表示し、チャプターリストの先頭のチャプターを再生する（Ｓ１８４）。
尚、チャプターリスト取得関数の呼び出しに失敗した場合には、「チャプターリストの取得に失敗しました。」のエラーメッセージを表示エリアにセットし、チャプター再生画面を表示する（Ｓ１８５）。
【００８０】
受信端末４は、チャプターリストを取得した後に、チャプターリストのチャプターの数が１以上であるか否かを判定し(Ｓ１６３)、チャプターリストにチャプターがない場合は、なにも再生せずに各種ボタンの押下を待機する入力受付状態とする（Ｓ１６４）。
【００８１】
これに対して、チャプターリストの数が１以上である場合には、現在、チャプターリストボックス６４のチャプターが選択されているか否かを判定し(Ｓ１６５)、選択されていないと判定された場合には、チャプターリストボックスの先頭のチャプターを選択する(Ｓ１６６)。そして、選択されたチャプターを再生しつつ、１秒間隔でイベントが発生する映像音声監視タイマーを起動すると共に（Ｓ１６７）、１秒間隔でイベントが発生する資料表示監視タイマーを起動し(Ｓ１６８)、各種ボタンの押下を待機する入力受付状態とする(Ｓ１６４)。
【００８２】
この入力受付状態において、再生・一時停止ボタン６５が押下されると(Ｓ１７１)、受信端末４は、図３８に示されるような、再生・一時停止ボタン押下フローを実行する。即ち、受信端末４は、現在停止中であるか否か、(Ｓ１９０)また、現在再生中であるか否かを判定し(Ｓ１９１)、現在停止中であると判定された場合には、再生・一時停止ボタンを
0003141460.tif 000007
に変更すると共に（Ｓ１９２）、再生中の映像、音声を一時停止にし、資料監視タイマー、映像・音声監視タイマーをＯＮにし（Ｓ１９３）、その後、各種ボタンの押下を待機するＳ５４の入力受付状態とする（Ｓ１９４）。現在停止中ではなく、再生中であると判定された場合には、再生・一時停止ボタンを
0003141460.tif 000008
に変更すると共に(Ｓ１９５)、再生中の映像、音声を一時停止にし、資料監視タイマー、映像・音声監視タイマーをＯＦＦにし(Ｓ１９６)、その後、各種ボタンの押下を待機するＳ１６４の入力受付状態とする(Ｓ１９４)。
【００８３】
また、現在停止中ではなく、また、再生中でもないと判定された場合には、再生・一時停止ボタンを
0003141460.tif 000009
に変更すると共に（Ｓ１９７）、選択されているチャプターの映像・音声データを図３に示すチャプターの定義情報（チャプターテーブル）に基づき管理サーバ５に格納された録画ファイルから抽出して再生する。これと同時に、チャプターの定義情報に基づき管理サーバ５に格納された資料ファイルから対応する資料データを抽出し、再生時間軸を基軸にして資料ファイルとページを切替表示させ、また、資料監視タイマー、映像・音声監視タイマーをＯＮにする(Ｓ１９８)。そして、しかる後に各種ボタンの押下を待機するＳ１６４の入力受付状態とする(Ｓ１９４)。
【００８４】
入力受付状態において、停止ボタン６６が押下されると（Ｓ１７２）、受信端末４は、図３９に示されるような、停止ボタン押下フローを実行する。即ち、受信端末４は、現在停止中であるか否かを判定し(Ｓ２００)、現在停止中であると判定された場合には、現状を維持してＳ１６４の入力待機状態とする(Ｓ２０１)。現在停止中ではないと判定された場合には、再生・一時停止ボタン６５を
0003141460.tif 000010
に変更すると共に(Ｓ２０２)、再生中の映像、音声を一時停止にし、資料監視タイマー、映像・音声監視タイマーをＯＦＦにし(Ｓ２０３)、その後、各種ボタンの押下を待機するＳ１６４の入力受付状態とする(Ｓ２０１)。
【００８５】
入力受付状態において、チャプターリスト内のチャプターが選択されると、受信端末４は、図４０に示されるような、チャプターリスト選択フローを実行する。即ち、受信端末４は、指定されたチャプターから録画ファイル名を取得し（Ｓ２１０）、その取得した録画ファイルの映像を映像表示エリア６２に表示し、また、録画ファイルの音声を再生し、資料ファイルを資料表示エリア６０に表示する（Ｓ２１１）。そして、しかる後に各種ボタンの押下を待機するＳ１６４の入力受付状態とする(Ｓ２１２)。
【００８６】
入力受付状態において、映像音声監視タイマーのイベントが発生した場合には（Ｓ１７４）、受信端末４は、図４１に示されるような映像音声監視タイマーイベント発生フローを実行する。即ち、受信端末４は、現在の時間を取得して再生を開始してからの経過時間（現在の再生時間）を取得し（Ｓ２２０）、現在の時間で表示している映像、又は、現在の時間で表示している音声が正しいか否かを判定する（Ｓ２２１）。具体的には、現在の再生時間に基づき、チャプターリストのデータの開始時刻と終了時刻とから該当する録画ファイル名を検索して取得し、この録画ファイル名が現在再生中の録画ファイル名と同じであるか否かを判定する。
【００８７】
このステップ（Ｓ２２１）において、現在の時間で表示されている映像及び音声が正しいと判定された場合には、格別な処理をせずに、各種ボタンの押下を待機するＳ１６４の入力受付状態とする（Ｓ２２２）。これに対して、現在の時間で表示されている映像または音声が違っていると判定された場合には、チャプターリストボックスから選択されているチャプターのチャプターＩＤ、映像ファイル名、音声ファイル名、開示時間、終了時間を取得し、再生を開始する（Ｓ２２３）。その後、各種ボタンの押下を待機するＳ１６４の入力受付状態とする（Ｓ２２２）。
【００８８】
また、入力受付状態において、資料監視タイマーのイベントが発生した場合には（Ｓ１７５）、受信端末４は、図４２に示されるような資料表示監視タイマーイベント発生フローを実行する。即ち、受信端末４は、現在の時間を取得して再生を開始してからの経過時間（現在の再生時間）を取得し（Ｓ２３０）、チャプターリストからその時刻において表示すべき資料ファイル名と資料のページを取得し（Ｓ２３１）、この取得情報をもとに現在の時間で表示している資料、又は、現在の時刻で表示している資料のベージ番号が正しいか否かを判定する（Ｓ２３２）。
【００８９】
このステップにおいて、現在の時間で表示されている資料及び資料のページ番号が正しいと判定された場合には、格別な処理をせずに、各種ボタンの押下を待機するＳ１６４の入力受付状態とする（Ｓ２３３）。これに対して、現在の時間で表示されている資料または資料のページが違っていると判定された場合には、その時刻において表示すべき資料、あるいは、その時間において表示すべき資料のページ番号を表示する（Ｓ２３４）。その後、各種ボタンの押下を待機するＳ１６４の入力受付状態とする（Ｓ２３３）。
【００９０】
したがって、以上のような学習支援システムによれば、管理サーバ５において、録画配信端末３から送信されたコンテンツデータが格納され、時間軸上の指定された位置を境に複数の論理的なチャプターに分割されると共に各チャプターを特定する定義情報が生成され、チャプターよりも大きい単位である章に対して分割されたチャプターの少なくとも１つを割り当てることで章とチャプターとを関連付け、受信端末からのコンテンツ要求に対して前記章が指定された場合に、指定された章に割り当てられているチャプターの定義情報に基づき、格納されたコンテンツデータから対応するチャプターのデータが抽出されて要求元の受信端末へ送信され、この受信端末で再生されるので、配信者は、見てもらいたい内容のチャプターを選択して章に割り当てておけば、録画配信端末から送信されるコンテンツデータが膨大なものであっても、見てもらいたい場面だけを抽出して効率的に視聴者に配信することが可能となる。
【００９１】
また、上述の構成によれば、管理サーバ５に格納されたオリジナルのコンテンツデータ(映像データ、音声データ等)を物理的に分割したり並び替えたりすることなく、章とチャプターとの関連付け情報や章に割り当てられたチャプターの定義情報を形成することで、チャプター単位で任意に抽出したり組み合わせることが可能となるので、オリジナルのコンテンツデータを格納する他に、配信用のコンテンツデータを形成して格納しておく必要がなくなり、必要とする格納領域を大きく確保する必要がなくなる。このため、ハードウエア資源を有効利用することが可能となる。
【００９２】
さらに、上述の構成によれば、録画ファイルが録画を実行指示する録画配信端末３に格納されるのではなく、ネットワーク先にある管理サーバ５に録画されるので、録画を実行指示する端末（録画配信端末３）の記憶容量を気にする必要がなく、通常のインターネット接続環境を備えた端末を接続し、これに映像／音声入力機器を接続すれば、録画配信端末を構成することができることから、録画配信端末はシンプルな端末で差し支えない。また、上述の構成によれば、録画したファイルのファイル形式を変換することなく、オンラインにてチャプター編集等が行えるので、格別な端末機器を用意する必要がなくなる。
【００９３】
また、論理的に分割されたチャプターを適宜追加、削除した上で確定するようにしているので、コンテンツデータを複数の論理的なチャプターに分割する際に、チャプターを適切に分割した上で確定することが可能となり、誤った位置で分割されたチャプターを残すことがなくなる。
【００９４】
さらに、論理的に分割された複数のチャプターを選択可能に表示させ、その中から章に割り当てるチャプターを選択して登録するようにしているので、章に対するチャプターの割り当てが容易に行え、登録させることで章とチャプターとの関連付けを慎重に行わせることが可能となる。
【００９５】
尚、上述した例においては、録画配信端末と受信端末とを別々の端末で構成したが、同じ端末で録画配信端末と受信端末の機能を持たせるようにしてもよい。
また、チャプター編集や章とチャプターとの関連付けも録画配信端末や受信端末で行うようにしてもよい。即ち、管理サーバ５にアクセス可能なウェブブラウザやこれにインストールして動画等のコンテンツデータを表示するクライアントソフトウエアを備えた端末であれば、インターネットを介して管理サーバ５に接続することで、上述の一連の処理を行うことが可能である。  
【図面の簡単な説明】
【００９６】
【図１】図１は、本考案に係る学習支援システムの構成例を示す模式図である。
【図２】図２は、録画から再生までの画面遷移図を示す。
【図３】図３は、データベースに格納される各種テーブルとこれらの関連を説明する説明図である。
【図４】図４は、本考案に係る学習支援システムを用いた録画から再生までの流れを説明する説明図である。
【図５】図５は、録画の仕組みの概要を説明する説明図である。
【図６】図６は、録画の際に利用する録画配信画面を示す画面構成例である。
【図７】図７は、録画配信画面の起動時の処理例を示すフローチャートである。
【図８】図８は、起動させた録画配信画面で登録ボタンが押下された場合の処理例を示すフローチャートである。
【図９】図９は、起動させた録画配信画面でページ切替ボタンが押下された場合の処理例を示すフローチャートである。
【図１０】図１０は、起動させた録画配信画面でカメラ切替ボタンが押下された場合の処理例を示すフローチャートである。
【図１１】図１１は、起動させた録画配信画面で資料切替ボタンが押下された場合の処理例を示すフローチャートである。
【図１２】図１２は、録画時の操作手順の例を示すフローチャートである。
【図１３】図１３は、図１２に示す操作手順と録画ファイルとの関係を示す説明図である。
【図１４】図１４は、チャプターを編集する際に利用するチャプター編集画面を示す画面構成例であり、（ａ）は画面全体の構成例を示し、（ｂ）は（ａ）のコントロールエリアを示す拡大図である。
【図１５】図１５は、チャプター編集画面の起動時の処理例を示すフローチャートである。
【図１６】図１６は、図１５に示すＳ５２のチャプターリストの取得処理例を示すフローチャートである。
【図１７】図１７は、起動させたチャプター編集画面で再生・一時停止ボタンが押下された場合の処理例を示すフローチャートである。
【図１８】図１８は、起動させたチャプター編集画面で停止ボタンが押下された場合の処理例を示すフローチャートである。
【図１９】図１９は、起動させたチャプター編集画面で巻き戻しボタンが押下された場合の処理例を示すフローチャートである。
【図２０】図２０は、起動させたチャプター編集画面で早送りボタンが押下された場合の処理例を示すフローチャートである。
【図２１】図２１は、起動させたチャプター編集画面でのチャプター選択時において、映像音声監視タイマーイベントが発生した際の処理例を示すフローチャートである。
【図２２】図２２は、起動させたチャプター編集画面でのチャプター選択時において、資料表示監視タイマーイベントが発生した際の処理例を示すフローチャートである。
【図２３】図２３は、起動させたチャプター編集画面でチャプター挿入ボタンが押下された場合の処理例を示すフローチャートである。
【図２４】図２４は、起動させたチャプター編集画面でチャプター削除ボタンが押下された場合の処理例を示すフローチャートである。
【図２５】図２５は、起動させたチャプター編集画面でチャプター画定ボタンが押下された場合の処理例を示すフローチャートである。
【図２６】図２６は、チャプター編集の操作手順の例を示すフローチャートである。
【図２７】図２７は、図２６に示す操作手順で生成されたチャプターと録画ファイルとの関係を示す説明図である。
【図２８】図２８は、章とチャプターとの関連付けの概要を説明する説明図である。
【図２９】図２９は、章とチャプターとの関連付け画面を示す画面構成例である。
【図３０】図３０は、コース、章、チャプターの関連付けを行う処理の流れを説明するフローチャートである。
【図３１】図３１は、章とチャプターとを関連付けて登録する処理を説明する画面遷移例である。
【図３２】図３２は、章とチャプターとの関連付け画面において、登録ボタンが押下された場合の処理例を示すフローチャートである。
【図３３】図３３は、コース、章、チャプターと各種テーブルとの関連を説明する説明図である。
【図３４】図３４は、再生の仕組みの概要を説明する説明図である。
【図３５】図３５は、再生の際に利用するチャプター再生画面を示す画面構成例であり、（ａ）は画面全体の構成例を示し、（ｂ）は（ａ）のコントロールエリアを示す拡大図である。
【図３６】図３６は、チャプター再生画面の起動時の処理例を示すフローチャートである。
【図３７】図３７は、図３６に示すＳ１６２のチャプターリストの取得処理例を示すフローチャートである。
【図３８】図３８は、起動させたチャプター再生画面で再生・一時停止ボタンが押下された場合の処理例を示すフローチャートである。
【図３９】図３９は、起動させたチャプター再生画面で停止ボタンが押下された場合の処理例を示すフローチャートである。
【図４０】図４０は、起動させたチャプター再生画面でチャプターリスト内のチャプターが選択された場合の処理例を示すフローチャートである。
【図４１】図４１は、起動させたチャプター再生画面でのチャプター選択時において、映像音声監視タイマーイベントが発生した際の処理例を示すフローチャートである。
【図４２】図４２は、起動させたチャプター再生画面でのチャプター選択時において、資料表示監視タイマーイベントが発生した際の処理例を示すフローチャートである。
【符号の説明】
【００９７】
１  カメラ
２  マイク
３  録画配信端末
４  受信端末
５  管理サーバ
６  管理者端末
１１  インターネット
【図１】
0003141460.tif 000011
【図２】
0003141460.tif 000012
【図３】
0003141460.tif 000013
【図４】
0003141460.tif 000014
【図５】
0003141460.tif 000015
【図６】
0003141460.tif 000016
【図７】
0003141460.tif 000017
【図８】
0003141460.tif 000018
【図９】
0003141460.tif 000019
【図１０】
0003141460.tif 000020
【図１１】
0003141460.tif 000021
【図１２】
0003141460.tif 000022
【図１３】
0003141460.tif 000023
【図１４】
0003141460.tif 000024
【図１５】
0003141460.tif 000025
【図１６】
0003141460.tif 000026
【図１７】
0003141460.tif 000027
【図１８】
0003141460.tif 000028
【図１９】
0003141460.tif 000029
【図２０】
0003141460.tif 000030
【図２１】
0003141460.tif 000031
【図２２】
0003141460.tif 000032
【図２３】
0003141460.tif 000033
【図２４】
0003141460.tif 000034
【図２５】
0003141460.tif 000035
【図２６】
0003141460.tif 000036
【図２７】
0003141460.tif 000037
【図２８】
0003141460.tif 000038
【図２９】
0003141460.tif 000039
【図３０】
0003141460.tif 000040
【図３１】
0003141460.tif 000041
【図３２】
0003141460.tif 000042
【図３３】
0003141460.tif 000043
【図３４】
0003141460.tif 000044
【図３５】
0003141460.tif 000045
【図３６】
0003141460.tif 000046
【図３７】
0003141460.tif 000047
【図３８】
0003141460.tif 000048
【図３９】
0003141460.tif 000049
【図４０】
0003141460.tif 000050
【図４１】
0003141460.tif 000051
【図４２】
0003141460.tif 000052